(57)【特許請求の範囲】
【請求項１】
電動ポンプの作用により容器本体の内容物が外部空間に吐出される形式の内容物吐出機構において、
前記電動ポンプの操作部材と、
前記容器本体の出口側から外部空間にいたる内容物通路およびその出力側に形成されて開閉状態が選択的に切り換えられる内容物出力用孔部を備え、かつ、当該孔部よりも上流側の内容物通路部分に前記電動ポンプが設けられている出力側通路部材と、
前記出力側通路部材に設けられて静止モードの前記内容物出力用孔部を閉塞し、かつ、前記電動ポンプの作動操作に基づいて当該閉塞状態を解除するためのチップストップ部材と、
前記内容物出力用孔部が閉塞される方向に前記チップストップ部材を駆動するための付勢部材と、
を備えたことを特徴とする電動式内容物吐出機構。
【請求項２】
前記チップストップ部材は、
前記電動ポンプの作動時における当該電動ポンプの下流側の内容物圧力に基づいて前記内容物出力用孔部の閉塞状態を解除する態様のものである、
ことを特徴とする請求項１記載の電動式内容物吐出機構。
【請求項３】
前記チップストップ部材は、
前記電動ポンプの下流側の内容物圧力を受ける第一の面部分と、当該電動ポンプの上流側の内容物圧力を受ける第二の面部分とを備え、これら第一の面部分および第二の面部分には逆方向の内容物圧力が作用する態様のものである、
ことを特徴とする請求項２記載の電動式内容物吐出機構。
【請求項４】
前記操作部材の作動モード設定操作に基づいて、前記チップストップ部材を、前記内容物出力用孔部の閉塞状態が解除される方向に移動させる電磁的駆動手段を設けた、
ことを特徴とする請求項１記載の電動式内容物吐出機構。
【請求項５】
前記出力側通路部材は、
外部空間に対して下側方向へ内容物を吐出する態様の吐出部を備えたものであり、
前記操作部材は、
前記吐出部の下方域に配設され、かつ、押されることにより下側に移動する態様の操作部を備えたものであり、
利用者が、手のひらを前記吐出部に向けた状態で当該手の甲部分を用いて前記操作部を押すことができる、
ことを特徴とする請求項１乃至４のいずれかに記載の電動式内容物吐出機構。
【請求項６】
請求項１乃至５のいずれかに記載の電動式内容物吐出機構を備えて、内容物を収納した、
ことを特徴とする内容物吐出製品。
【発明の詳細な説明】
【技術分野】
【０００１】
本発明は、ギヤポンプ，ベーンポンプ，ピストンポンプ，可動片ポンプなどの各種電動ポンプの作用により容器本体の内容物が外部空間に吐出される形式の内容物吐出機構に関する。
【０００２】
内容物吐出機構におけるギヤポンプなどのように、それが設けられた内容物通路の内周面部分などとの間で移動をともなう形式の電動ポンプの場合、その静止モードにおいて当該移動部分での十分なシール性を担保する、すなわちポンプ上流側の容器内部・通路部とポンプ下流側の通路部・内容物出力用孔部との間の十全な閉状態を確保する、ことがコスト面などから難しい。
【０００３】
そのため、ギヤポンプなどの電動ポンプからなる内容物吐出機構を備えた容器において、その静止モードでの転倒時や内圧増加時などに、容器内容物が出力用孔部から外部空間に漏洩しない形の構造を比較的低コストで実現できることが望ましく、本発明はこのような要請に応えるものである。
【０００４】
本明細書においては内容物の吐出用孔部の側を「前」と記し、当該孔部とは反対側の例えば図３の操作レバーの側を「後」と記す。
【０００５】
適用対象の内容物としては、例えば液状またはクリーム状の石けん，洗浄剤，化粧品，乳液や、発泡性のシェービングフォーム，ヘアスタイリングフォームをはじめとして、後述のように各種のものがある。
【背景技術】
【０００６】
ギヤポンプを用いた電動式の内容物吐出機構（電動式噴霧器）としては、例えば下記の特許文献で開示のものがある。
【０００７】
この電動式噴霧器の場合、内容物収納容器のいわば必須構成要素ともいえる容器内部減圧防止用の孔部を、通常（静止モード）は開閉レバーで閉じるようにしている。
【０００８】
そして操作ボタンの作動モード設定操作と連動する形で当該開閉レバーを変位させてそれまで閉状態であった減圧防止用の孔部が開状態に変化することにより、当該孔部から容器内部に外気が流入するようにしている。
【特許文献１】特開２０００−８３５５７号公報
【発明の開示】
【発明が解決しようとする課題】
【０００９】
このように従来の電動式の内容物吐出機構は、その容器側に形成されている減圧防止用孔部が操作ボタンとの連動作用によって開閉される。
【００１０】
そのため内容物吐出機構の操作ボタンが作動していない静止モードにおいて減圧防止用孔部（閉状態）から内容物が漏れることはない。
【００１１】
ただ、ここでの内容物漏れ対策は、あくまで操作ボタンが押されていないときに容器側の減圧防止用孔部を閉じるようにしたにすぎない。
【００１２】
したがって、外部空間への内容物の出力部（出力用孔部）であるノズル部分に残留している内容物が当該出力部から漏洩することを防止できないという問題点があった。
【００１３】
また、内容物吐出機構の使用環境温度の上昇や、当該吐出機構利用者の容器把持・保持動作にともなう容器内部の温度上昇または内部容積の減少などに基づいて、容器中の内圧が増加した場合には、容器内容物が、閉塞手段を備えていない出力部から外部空間に漏れてしまうという問題点があった。
【００１４】
また、操作ボタンの押下げ操作で容器側の減圧防止用孔部を開くといった構成をとる、すなわちこの操作ボタンと孔部との間に孔部開閉機構を設けているので、当該操作ボタンの設定箇所が当該孔部開閉機構や当該孔部とのいわば空間的なかねあいにより制約されてしまうという問題点があった。
【００１５】
そこで本発明では、電動ポンプの下流側に形成された内容物吐出用孔部を開閉するチップストップ部材を設け、この開閉動作が、当該下流側の内容物の圧力に応じたチップストップ部材の移動態様や、電磁的駆動手段を用いたチップストップ部材のいわば強制的な駆動態様によって、行なわれるようにする。
【００１６】
これにより、電動ポンプ使用の内容物吐出機構における吐出用孔部からの内容物漏洩を防止するとともに、当該吐出機構の操作部の設定箇所をチップストップ部材の位置に依存しない形にして例えば操作部を押圧する手自体にも内容物が吐出されえるようにし、これにより使用上の利便性を高めることを目的とする。
【００１７】
また、チップストップ部材に対し、電動ポンプ上流側の内容物の圧力と電動ポンプ下流側の内容物の圧力とが逆方向に作用するようにして、利用者の吐出操作時ではなく、上述の温度上昇や内部容積減少などのために容器中の内圧が増加した場合に、チップストップ部材が不用意にそれまでの内容物出力用孔部の閉状態から開状態に移行してしまうのを防ぐことを目的とする。
【課題を解決するための手段】
【００１８】
本発明はこれらの課題を次のようにして解決する。
（１）電動ポンプ（例えば後述のギヤポンプ７）の作用により容器本体（例えば後述の容器本体１２）の内容物が外部空間に吐出される形式の内容物吐出機構において、
前記電動ポンプの操作部材（例えば後述の操作部材１５，操作レバー２１，操作部材２３）と、
前記容器本体の出口側（例えば後述の上下方向筒状部８ａ）から外部空間にいたる内容物通路（例えば後述の下側通路域１ａ，上側通路域１ｂ）およびその出力側に形成されて開閉状態が選択的に切り換えられる内容物出力用孔部（例えば後述のチップストップ用孔部２ａ）を備え、かつ、当該孔部よりも上流側の内容物通路部分に前記電動ポンプが設けられている出力側通路部材（例えば後述の出力側通路部材１，１’，１’’）と、
前記出力側通路部材に設けられて静止モードの前記内容物出力用孔部を閉塞し、かつ、前記電動ポンプの作動操作に基づいて当該閉塞状態を解除するためのチップストップ部材（例えば後述のピストン５，５’）と、
前記内容物出力用孔部が閉塞される方向に前記チップストップ部材を駆動するための付勢部材（例えば後述のコイルスプリング６）と、
を備えたものとする。
（２）上記（１）において、
前記チップストップ部材は、
前記電動ポンプの作動時における当該電動ポンプの下流側の内容物圧力に基づいて前記内容物出力用孔部の閉塞状態を解除する態様のものである。
（３）上記（２）において、
前記チップストップ部材は、
前記電動ポンプの下流側の内容物圧力を受ける第一の面部分と、当該電動ポンプの上流側の内容物圧力を受ける第二の面部分とを備え、これら第一の面部分および第二の面部分には逆方向の内容物圧力が作用する態様のものである。
（４）上記（１）において、
前記操作部材の作動モード設定操作に基づいて、前記チップストップ部材（例えば後述のピストン５’）を、前記内容物出力用孔部の閉塞状態が解除される方向に移動させる電磁的駆動手段（例えば後述のソレノイド９）を設ける。
（５）上記（１）〜（４）において、
前記出力側通路部材は、
外部空間に対して下側方向へ内容物を吐出する態様の吐出部（例えば後述のノズル２２）を備えたものであり、
前記操作部材（例えば後述の操作部材２３）は、
前記吐出部の下方域に配設され、かつ、押されることにより下側に移動する態様の操作部（例えば後述の操作面２３ｂ）を備えたものであり、
利用者が、手のひらを前記吐出部に向けた状態で当該手の甲部分を用いて前記操作部を押すことができる。
【００１９】
本発明は、このような構成からなる電動式内容物吐出機構および当該機構を備えた内容物吐出製品を対象としている。
【発明の効果】
【００２０】
本発明は、電動ポンプの下流側に形成された内容物吐出用孔部を開閉するチップストップ部材を設け、この開閉動作が、当該下流側の内容物の圧力に応じたチップストップ部材の移動態様や、電磁的駆動手段によるチップストップ部材のいわば強制的な駆動態様で行なわれるようにしている。
【００２１】
そのため、電動ポンプ使用の内容物吐出機構における吐出用孔部からの内容物漏洩を防止するとともに、当該吐出機構の操作部をチップストップ部材の位置とは無関係の任意の箇所に設けて、例えば操作部を押圧する手自体にも内容物が吐出されえるようにし、これにより内容物吐出機構の使用上の利便性を高めることができる。
【００２２】
また、チップストップ部材に対し、電動ポンプ上流側の内容物の圧力と電動ポンプ下流側の内容物の圧力とが逆方向に作用するようにしているので、利用者の吐出操作時ではなく、上述の温度上昇や内部容積減少などのために容器中の内圧が増加した場合に、チップストップ部材が不用意にそれまでの内容物出力用孔部の閉状態から開状態に移行してしまうのを防ぐことができる。
【発明を実施するための最良の形態】
【００２３】
図１〜図８を用いて本発明を実施するための最良の形態を説明する。
【００２４】
なお上述したように、本発明の電動式内容物吐出機構は各種の電動ポンプを対象とするものであるが、以下の記載では単なる説明の便宜上、ギヤポンプ７を用いた場合の内容物吐出機構を対象としている。
【００２５】
ここで、
図１は電動式内容物吐出機構（その１）の一部である出力側通路部材などを対象としたギヤポンプ停止中の静止モードを示し、
図２は電動式内容物吐出機構（その２）の一部である出力側通路部材などを対象としたギヤポンプ停止中の静止モードを示し、
図３は電動式内容物吐出機構（その３）の全体を対象としたギヤポンプ停止中の静止モードを示し、
図４は図３の電動式内容物吐出機構の静止モードにおいて容器の内圧増加時にもチップストップ作用が継続している状態を示し、
図５は図３の電動式内容物吐出機構のギヤポンプ動作中の作動モードを示し、
図６は図３のギヤ，電池などについてのＩ−Ｉ’方向の断面部分を示し、
図７は利用者の指部分で引かれるトリガタイプの操作部材を用いた電動式内容物吐出機構（その４）を示し、
図８は吐出用孔部の下方に配置された押下げタイプの操作部材を用いた電動式内容物吐出機構（その５）を示している。
【００２６】
以下のアルファベット付き参照番号の構成要素（例えば下側通路域１ａ）は、それぞれアルファベットなし参照番号の構成要素（例えば出力側通路部材１）の一部であることを示している。
【００２７】
図１〜図６において、
１（図１で使用），１’（図２で使用）および１’’（図３，図４，図５および図６で使用）は出力側通路部材，
１ａは当該出力側通路部材の下側通路域（上流側通路域），
１ｂは当該出力側通路部材の上側通路域（下流側通路域），
１ｃは下側通路域１ａと上側通路域１ｂとの間の通路用孔部，
１ｄは後述のヘッド部材８の上下方向筒状部８ａに係合保持された筒状入力部，
１ｅは出力側通路部材１に形成された外気連通用の貫通部分，
１ｆは出力側通路部材１’に形成されて後述のピストン５’の移動域および外気連通域として作用するピストン用孔部，
１ｇは出力側通路部材１’’に形成されて下側通路域１ａと後述のピストン後方空間域１ｈとを連通させるピストン誤動作防止用の補助孔部，
１ｈは当該補助孔部に続くピストン後方空間域，
をそれぞれ示している。
【００２８】
また、
２は上側通路域１ｂの出口部分に取り付けられた筒状の吐出用外側部材，
２ａは当該吐出用外側部材の底面中央部分に形成されたチップストップ用孔部，
３は吐出用外側部材２の出口部分に取り付けられた筒状の吐出用内側部材，
３ａは当該吐出用内側部材の底面中央部分に形成された吐出用孔部，
４は吐出用外側部材２および吐出用内側部材３で画定される内部空間域に配設されて当該内側部材の内面リブ間からなる内容物通過用のトンネル状部分を形成する柱状部材，
５（図２以外で使用），５’（図２で使用）はチップストップ機構を構成するピストン（弁部材），
５ａはチップストップ用孔部２ａへの弁作用を呈するテーパ形状の先端部分，
５ｂはピストン５’の後端側外周面に形成されて後述の板バネ１０の前脚部分１０ａを保持する環凹状部，
をそれぞれ示している。
【００２９】
また、
６はチップストップ用孔部２ａが閉じられる方向にピストン５，５’を付勢するコイルスプリング，
７は下側通路域１ａに設けられた周知のギヤポンプ，
７ａは後述のモータ１１で回転駆動される主動ギヤ，
７ｂは当該主動ギヤとかみあって回転する従動ギヤ，
８は後述の容器本体の上端側筒状部１０ａの外周面部分と螺子結合して、出力側通路部材１や後述のギヤポンプ駆動用のモータ１１および電池１９などが取り付けられたヘッド部材，
８ａは当該ヘッド部材の底面部分から形成された内容物通過用の上下方向筒状部， 
８ｂは後述の二個の電池１９を収納して保持する電池収納部，
８ｃは後述のモータ１１が取り付けられた弾性態様のＣ形保持部，
８ｄは上下方向筒状部８ａの上端側部分とともに、下側通路域１ａの下面長手方向（図６の左右方向）の一方の端部を保持する上側曲面状外壁部分，
８ｅは後述の容器本体１２の開口部に位置する底面部分に形成された外気用孔部，
をそれぞれ示している。
【００３０】
また、
９は出力側通路部材１’に取り付けられてチップストップ用孔部２ａが開く方向にピストン５’を付勢するソレノイド（図２で使用），
９ａは前後方向に駆動される可動片，
９ｂは当該可動片の前端側外周面に形成されて後述の板バネ１０の後脚部分１０ｂを保持する環凹状部，
１０は板バネ（図２で使用），
１０ａはピストン５’の環凹状部５ｂに保持された前脚部分，
１０ｂは可動片９ａの環凹状部９ｂに保持された後脚部分，
１１はヘッド部材８のＣ形保持部に取り付けられてギヤポンプ７を駆動するモータ，
をそれぞれ示している。
【００３１】
また、
１２は各種内容物が収納された容器本体，
１２ａは外周面部分がヘッド部材８と螺子結合する上端側筒状部（首状部），
１２ｂは外周面上側部分に形成された下カバー体係合用の外側段部，
１３は容器本体１２の外側段部１２ｂに係合保持された下カバー体，
１３ａは当該下カバー体の内周面に複数形成された縦方向リブ，
１３ｂは当該縦方向リブに形成されてヘッド部材８を係合保持する内側下段部，
１３ｃは後述の上カバー体１４を係合保持する上端部，
１４は下カバー体１３の上端部１３ｃに係合保持された上カバー体，
１４ａは当該上カバー体に取り付けられて電池の電極と接触する端子部分，
１４ｂは図示上方向に弾性的に付勢される態様で当該上カバー体に取り付けられた可動タイプのスイッチ，
をそれぞれ示している。
【００３２】
また、
１５は上カバー体１４に取り付けられた回動タイプの操作部材（図３で使用），
１５ａは当該操作部材の回動中心部，
１５ｂは利用者が操作するときの操作面部分，
１５ｃはスイッチ１４ｂに対する押圧作用部分，
１６はヘッド部材８の外気用孔部８ｅに取り付けられた外気流入用の筒状部材，
１６ａは当該筒状部材の周面部分に形成された外気流入用孔部，
１７は筒状部材１６の下側に外気流入用孔部１６ａを塞ぐ形で取り付けられた弾性態様の逆止弁（外気流入弁），
１８はヘッド部材８の上下方向筒状部８ａの下端側内部に取り付けられた内容物吐出用のチューブ，
１９はヘッド部材８に保持された電池，
をそれぞれ示している。
【００３３】
また、
Ａはピストン５に対して上側通路域１ｂの内容物の圧力が作用する方向，
Ｂはピストン５に対してピストン後方空間域１ｈの内容物の圧力が作用する方向，
Ｃはギヤポンプ７の作動による内容物の流れ方向，
Ｄは容器本体１２に供給される減圧防止用外気の流れ，
をそれぞれ示している（Ａ，Ｂは図３〜図５で使用，Ｄは図３で使用，Ｃは図６で使用）。
【００３４】
図７において、
２０はカバー体，
２０ａ，２０ｂはカバー体外周面のへこみ部分，
２０ｃはへこみ部分２０ｂから続くスロープ部分，
２１はトリガタイプの操作レバー，
をそれぞれ示している。
【００３５】
図８において、
２２は内容物が斜め下方向に吐出されるノズル，
２３は利用者の手の甲部分などで押下げることができる回動タイプの操作部材，
２３ａは腕部，
２３ｂは手の甲部分などで押圧される操作面，
をそれぞれ示している。
【００３６】
ここで、出力側通路部材１，１’，１’’，吐出用外側部材２，吐出用内側部材３，柱状部材４，ピストン５，５’，ヘッド部材８，容器本体１２，下カバー体１３，上カバー体１４，操作部材１５，筒状部材１６，チューブ１８，カバー体２０，操作レバー２１，ノズル２２および操作部材２３などは例えばポリプロピレン，ポリエチレン，ポリアセタール，ナイロン，ポリブチレンテレフタレートなどからなるプラスチック製のものである。
【００３７】
また、コイルスプリング６，ギヤポンプ７，板バネ１０は金属製またはプラスチック製のもの、端子部分１４ａ，スイッチ１４ｂは金属製のもの、逆止弁１７はゴム製またプラスチック製のものである。
【００３８】
なお、出力側通路部材１，１’，１’’の作成に際しては例えば、先ずそれぞれの下側通路域１ａの底面を含む下部分と当該底面部分より上の上部分とを別々に、図３の点線で示したような分離状態で成形する。そして当該底面（下部分）にギヤポンプ７を取り付けた後、この下部分と上部分とを溶着して一体化している。
【００３９】
また、ギヤポンプ７（主動ギヤ，従動ギヤ）の上面部分および下面部分のそれぞれにはゴム製シール部材が当該ギヤの全体をカバーする形で設けられている。
【００４０】
操作部材１５（図３参照）が押圧されていない図１の静止モードでは、
(11)上カバー体１４の端子部分１４ａとスイッチ１４ｂとが離れたオフ状態であって、
(12)モータ１１に電源が供給さないためギヤポンプ７は作動せず、
(13)ピストン５がコイルスプリング６の作用で前方に付勢されてチップストップ用孔部２ａが閉じた状態になっている。
【００４１】
ここで操作部材１５が押圧されてスイッチ１４ｂが端子部分１４ａに接触すると、モータ１１に電源が供給されてギヤポンプ７が作動する。
【００４２】
このギヤポンプ７の作動により、容器本体１２の内容物が「チューブ１８−上下方向筒状部８ａ−筒状入力部１ｄ−下側通路域１ａ−通路用孔部１ｃ」の経路により上側通路域１ｂに流入する。なお、ギヤポンプ７の近くにおける内容物の流れは周知のように図６のＣ方向となる。
【００４３】
この上側通路域１ｂへの内容物流入にともなってピストン５は後方への内容物圧力を受ける。そして当該内容物圧力がコイルスプリング６の前方への付勢力よりも大きくなるとピストン５は後退して、チップストップ用孔部２ａがそれまでの閉状態から開状態に移行する。
【００４４】
この開状態への移行により、上側通路域１ｂに流入済みの内容物が「チップストップ用孔部２ａ−吐出用外側部材２の後側内周面に形成されたリブ間の通路部分−吐出用外側部材２と柱状部材４との間の空間域−吐出用内側部材３の内面に形成されたリブ間の通路部分−吐出用孔部３ａ」を経て外部空間域に例えば霧状となって吐出される。
【００４５】
利用者が操作部材１５の押圧をやめると、図３に示すように、
(21)スイッチ１４ｂおよび操作部材１５が例えば当該スイッチ自体の弾性力によって静止モードの位置に復帰し、
(22)モータ１１およびギヤポンプ７が停止してピストン５にかかる後方向への内容物圧力が低下し、
(23)この内容物圧力の低下により、ピストン５はコイルスプリング６の弾性力によって前方向に移動して、その先端部分５ａでチップストップ用孔部２ａが閉じられた、
状態に移行する。すなわち静止モードに復帰する。
【００４６】
なお、容器本体１２の内容物が外部空間域に吐出されて容器内圧が外気圧よりも小さくなると、図３に示される流れＤの外気が筒状部材１６の流入用孔部１６ａから容器本体１２の内部空間域に入っていく。
【００４７】
このとき、逆止弁１７の内周面は外気圧の作用で流入用孔部１６ａから離れた状態となり、筒状部材１６と容器本体１２との間が連通する。
【００４８】
図２の内容物吐出機構は、ピストン５’を作動モード位置に駆動するための手段としてソレノイド９および板バネ１０を用いている。
【００４９】
すなわち静止モードでは図示のようにソレノイド９の電磁石がオフとなっている。そのため、ピストン５’はもっぱらコイルスプリング６の弾性作用により図１のときと同じく前方向に付勢され、その先端部分５ａがチップストップ用孔部２ａが閉状態に設定している。
【００５０】
利用者の操作によりスイッチ１４ｂが端子部分１４ａに接触すると、ソレノイド９およびモータ１１に電源（電池１９）が供給される。
【００５１】
その結果、ソレノイド９が作動してその可動片９ａを後方向に駆動する。
また、板バネ１０を介して当該可動片と一体化しているピストン５’がコイルスプリング６の弾性力に抗する形で連動し、チップストップ用孔部２ａがそれまでの閉状態から開状態に移行する。
【００５２】
このときギヤポンプ７も勿論作動しているので、容器本体１２の内容物が図１の場合と同じルートで外部空間域に吐出される。
【００５３】
そして利用者の作動モード設定操作が解除されると、ソレノイド９およびモータ１１への通電がオフとなるので、ピストン５’に対する後方向への付勢力が消失して当該ピストンはコイルスプリング６の弾性力により前方向へ移動する。この移動によりチップストップ用孔部２ａはピストン５’の先端部分５ａで閉塞される。
【００５４】
図２の内容物吐出機構のピストン５’は、図１などのような内容物の圧力を受けて後方向（＝チップストップ用孔部２ａが開状態となる方向）に移動するではなく、ソレノイド９の電磁力によりいわば強制的に後方向に駆動される。
【００５５】
そのため、ギヤポンプ７から上側通路域１ｂに送られる内容物の量が少なくて、ピストン５’に作用する後方への内容物圧力が小さな場合にも、チップストップ用孔部２ａは開状態に設定され、当該上側通路域に流入した内容物は当該孔部を通って外部空間域へと確実に吐出される。
【００５６】
ピストン５’を前方に付勢するためのコイルスプリング５のバネの強さについても、当該ピストンがソレノイド９の作用によって後方に駆動されえる程度という条件の下で、大きくすることができる。
【００５７】
このようなバネの強化により、ソレノイド９の動作状態（作動モード）が解除されたときのピストン５’の静止モード復帰動作の応答性が良くなり、また、チップストップ構造の大型化を図ることもできる。
【００５８】
さらにはチップストップ用孔部２ａが閉状態の静止モードにおいて、使用環境温度の上昇や利用者の容器把持・保持動作にともなう容器内部の温度上昇または内部容積の減少などに基づいて容器中の内圧が増加した場合にも、強いコイルスプリング６の作用で当該孔部のチップストップ動作を維持して、内容物の漏洩を防止することができる。
【００５９】
図３〜図５の内容物吐出機構は、図１のそれに比べて、ピストン後方空間域１ｈと下側通路域１ａとを補助孔部１ｇによって連通させた点で相違している。
【００６０】
図４は、この補助孔部１ｇの作用を示している。
チップストップ用孔部２ａが閉じられた静止モードで上述の容器内圧が増加したとき、ピストン５には、その前方空間域（上側通路域１ｂ）からＡ方向への内容物圧力のみならず、その後方空間域（補助孔部１ｇとピストン５との間の空間域）からＢ方向への内容物圧力も作用することになる。そして、ピストン５における当該圧力の作用対象面積はＡ方向よりもＢ方向に対する部分の方が大きい。
【００６１】
このように容器内圧が増加したとき、ピストン５にはトータルとしてＢ方向の力が働くことになり、当該ピストンの先端部分５ａはチップストップ用孔部２ａに強く当接した状態に維持される。そのため上側通路域１ｂや下側通路域１ａなどに残っている内容物が当該孔部を経て外部空間域に漏洩することはない。
【００６２】
図５は、図３の補助孔部１ｇを備えた内容物吐出機構の作動モードを示している。
ここでギヤポンプ７が作動することにより、ピストン後方空間域１ｈを含む当該ギヤポンプの下流側空間域に収納されている内容物が通路用孔部１ｃを経て上側通路域１ｂに流入していく。
【００６３】
その結果、ピストン５にはＡ方向の内容物圧力が作用して、当該ピストンは図１の場合と同様にコイルスプリング６の弾性力に抗する形で後方（Ａ方向）に移動する。
【００６４】
このピストンの移動により、ピストン先端部分５ａがチップストップ用孔部２ａから離間して、容器本体１２の内容物は図１と同様の経路を通って吐出用孔部３ａから外部空間域に吐出される。
【００６５】
また、作動モード設定操作が解除されたときのピストン５（チップストップ構造）の復帰動作も図１の場合と同様である。ただ、この復帰動作にともなって下側通路域１ａの側から内容物やエアなどがピストン後方空間域１ｈに流入する点が、図１の復帰動作とは相違している。
【００６６】
図７の内容物吐出機構の場合、
(31)外周面にへこみ部分２０ａ，２０ｂおよびスロープ部分２０ｃを備えて利用者が把持しやすい形のカバー体２０を用い、
(32)作動モード設定用の操作部材としてトリガタイプの操作レバー２１を用い、
(33)外部空間域への吐出用孔部をチップストップ動作の対象孔部としている。
【００６７】
図８の内容物吐出機構の場合、
(41)内容物が斜め下方向に吐出されるノズル２２を備え，
(42)作動モード設定用の操作部材として利用者の手の甲部分などで押下げることができる回動タイプの操作部材２３を用いている。
【００６８】
本発明は、以上の説明にかかる電動式内容物吐出機構に限定されないことは勿論であって例えば、
(51)コイルスプリング６に代えて板バネやマグネットなどを用いることによりピストン５を前方向に付勢する、
(52)作動モードの解除にともない下側通路域１ａや上側通路域１ｂに残留する内容物が容器本体に戻ること防止するための逆止弁（シール弁）を出力側通路部材１，１’，１’’それぞれの筒状入力部１ｄの出口部分（下流側端部）に設ける、
(53) 補助孔部１ｇの代わりに、ピストン後方空間域１ｈを容器本体１２の内部空間域に直接連通させる通路を設ける、
ようにしてもよい。
【００６９】
本発明が適用される内容物吐出製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００７０】
容器本体に収納する内容物は、例えば油成分，アルコール類，界面活性剤，高分子化合物，粉状物，各用途に応じた有効成分などである。
【００７１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００７２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００７３】
アルコール類としては、エタノールなどの１価の低級アルコール，ラウリルアルコールなどの１価の高級アルコール，エチレングリコールなどの多価アルコールなどを用いる。
【００７４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７５】
高分子化合物としては、メチルセルロース，ゼラチン，デンプン，カゼインなどを用いる。
【００７６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７７】
さらに、上記内容物以外の、懸濁剤，紫外線吸収剤，乳化剤，保湿剤，酸化防止剤、金属イオン封鎖剤なども用いることができる。
【図面の簡単な説明】
【００７８】
【図１】電動式内容物吐出機構（その１）の一部である出力側通路部材などを対象としたギヤポンプ停止中の静止モードを示す説明図である。
【図２】電動式内容物吐出機構（その２）の一部である出力側通路部材などを対象としたギヤポンプ停止中の静止モードを示す説明図である。
【図３】電動式内容物吐出機構（その３）の全体を対象としたギヤポンプ停止中の静止モードを示す説明図である。
【図４】図３の電動式内容物吐出機構の静止モードにおいて容器の内圧増加時にもチップストップ作用が継続している状態を示す説明図である。
【図５】図３の電動式内容物吐出機構のギヤポンプ動作中の作動モードを示す説明図である。
【図６】図３のギヤ，電池などについてのＩ−Ｉ’方向の断面部分を示す説明図である。
【図７】利用者の指部分で引かれるトリガタイプの操作部材を用いた電動式内容物吐出機構（その４）を示す説明図である。
【図８】吐出用孔部の下方に配置された押下げタイプの操作部材を用いた電動式内容物吐出機構（その５）を示す説明図である。
【符号の説明】
【００７９】
１：出力側通路部材（図１で使用）
１’：出力側通路部材（図２で使用）
１’’：出力側通路部材（図３，図４および図５で使用）
１ａ：下側通路域（上流側通路域）
１ｂ：上側通路域（下流側通路域）
１ｃ：通路用孔部
１ｄ：筒状入力部
１ｅ：外気連通用の貫通部分
１ｆ：ピストン用孔部
１ｇ：ピストン誤動作防止用の補助孔部
１ｈ：ピストン後方空間域
２：筒状の吐出用外側部材
２ａ：チップストップ用孔部
３：筒状の吐出用内側部材
３ａ：吐出用孔部
４：柱状部材
５：ピストン（図２以外で使用）
５’：ピストン（図２で使用）
５ａ：テーパ形状の先端部分
５ｂ：環凹状部
６：コイルスプリング
７：ギヤポンプ
７ａ：主動ギヤ
７ｂ：従動ギヤ
８：ヘッド部材
８ａ：上下方向筒状部
８ｂ：電池収納部
８ｃ：弾性態様のＣ形保持部
８ｄ：上側曲面状外壁部分
８ｅ：外気用孔部
９：ソレノイド（図２で使用）
９ａ：可動片
９ｂ：環凹状部
１０：板バネ（図２で使用）
１０ａ：前脚部分
１０ｂ：後脚部分
１１：モータ
１２：容器本体
１２ａ：上端側筒状部（首状部）
１２ｂ：下カバー体係合用の外側段部
１３：下カバー体
１３ａ：縦方向リブ
１３ｂ：内側下段部
１３ｃ：上端部
１４：上カバー体
１４ａ：端子部分
１４ｂ：可動タイプのスイッチ
１５：回動タイプの操作部材（図３で使用）
１５ａ：回動中心部
１５ｂ：操作面部分
１５ｃ：押圧作用部分
１６：外気流入用の筒状部材
１６ａ：外気流入用孔部
１７：弾性態様の逆止弁（外気流入弁）
１８：内容物吐出用のチューブ
１９：電池
２０：カバー体（図７で使用）
２０ａ，２０ｂ：へこみ部分
２０ｃ：スロープ部分
２１：トリガタイプの操作レバー（図７で使用）
２２：ノズル（図８で使用）
２３：回動タイプの操作部材（図８で使用）
２３ａ：腕部
２３ｂ：操作面
Ａ：上側通路域１ｂの内容物の圧力が作用する方向（図３〜図５で使用）
Ｂ：ピストン後方空間域１ｈの内容物の圧力が作用する方向（図３〜図５で使用）
Ｃ：ギヤポンプ７の作動による内容物の流れ方向（図６で使用）
Ｄ：容器本体１２に供給される減圧防止用外気の流れ（図３で使用）
【図１】
0005142207.tif 000002
【図２】
0005142207.tif 000003
【図３】
0005142207.tif 000004
【図４】
0005142207.tif 000005
【図５】
0005142207.tif 000006
【図６】
0005142207.tif 000007
【図７】
0005142207.tif 000008
【図８】
0005142207.tif 000009